(57)【要約】【課題】本来の輝きが失われないように宝飾物を地爪に固定できる爪装飾物とその形成方法を提供する。【解決手段】  ダイヤモンド１０をそのまま地爪に固定するのではなく、ダイヤモンド１０が保持された石留め部１２の平らな底面部を地爪５１に載せて固定する。そのため、ダイヤモンド１０を地爪５１の表面に対して適切な姿勢で固定できるため、ダイヤモンド１０を良好に輝かせることが可能となり、装飾性を高めることができる。また、貴金属性の石留め部１２でダイヤモンド１０を保持することにより、ダイヤモンド１０をそのまま爪上に固定する場合に比べて入射光が良好に反射するため、爪上におけるダイヤモンド１０の輝きをより一層際立たせることができる。【選択図】  図１
2010214088.tif 000002
【特許請求の範囲】
【請求項１】
地爪の表面に形成される第１人工爪層と、
前記第１人工爪層に固着される宝飾物と、
光を透過する材料により構成されており、前記第１人工爪層及び前記宝飾物を覆うように形成される第２人工爪層と
を有する爪装飾物。
【請求項２】
前記宝飾物は、
その表面が前記第２人工爪層に接している少なくとも１つの宝石と、
前記宝石を保持する石留め部と
を有し、
前記石留め部は、前記第１人工爪層の構成物を介して前記地爪の表面に対向する平らな底面部を有する、
請求項１に記載の爪装飾物。
【請求項３】
前記石留め部は、前記第１人工爪層と接触する面において、前記第１人工爪層の構成物が嵌入する孔を有する、
請求項２に記載の爪装飾物。
【請求項４】
前記孔は、前記石留め部の前記底面部に形成される、
請求項３に記載の爪装飾物。
【請求項５】
前記石留め部の前記孔は、
前記石留め部の表面に開いた開口部と、
前記石留め部の表面より内側において、前記開口部に比べて幅が広くなっている空間部と
を有し、
前記開口部から嵌入する前記第１人工爪層の構成物が、前記空間部において前記開口部に比べて幅が広くなっている、
請求項４に記載の爪装飾物。
【請求項６】
前記宝飾物の内側に向かうにつれて、前記空間部の幅が連続的に広くなっている、
請求項５に記載の爪装飾物。
【請求項７】
前記石留め部は、前記宝石を載置するための凹部を有し、
前記孔が前記凹部とつながっている、
請求項４乃至６の何れか一項に記載の爪装飾物。
【請求項８】
前記第１人工爪層が、光の照射によって硬化する材料により構成されており、
硬化前に前記孔に流入した前記第１人工爪層の構成物が、前記宝石を介して透過する光により硬化する、
請求項７に記載の爪装飾物。
【請求項９】
前記石留め部は、
上面部に前記凹部が形成され、底面部に前記孔が形成された円柱形の宝石載置部と、
前記宝石載置部の曲面から径方向に突出する複数の突部と、
を有する、
請求項４乃至８の何れか一項に記載の爪装飾物。
【請求項１０】
前記突部は、前記宝石載置部の上記上面部から上側に延びた先端部分において前記上面部に載置された前記宝石を係止する、
請求項９に記載の爪装飾物。
【請求項１１】
前記宝石が、円錐形状の多面体にカッティング加工されており、
前記宝石の尖端が前記開口部に達している、
請求項４乃至１０の何れか一項に記載の爪装飾物。
【請求項１２】
前記第１人工爪層及び前記第２人工爪層が、光によって硬化するジェル状の樹脂材料により構成されており、
前記地爪の表面に対して垂直な方向における前記宝飾物の高さが１ｍｍ以上２ｍｍ以下である、
請求項２乃至１１の何れか一項に記載の爪装飾物。
【請求項１３】
前記宝石の質量が０．０１カラット以上０．０６カラット以下である、
請求項１２に記載の爪装飾物。
【請求項１４】
地爪の表面に、未硬化状態の第１人工爪構成物を層状に塗布する第１の工程と、
前記第１の工程において塗布された前記第１人工爪構成物の上に宝飾物を載置する第２の工程と、
前記第２の工程において前記宝飾物が載置された状態の前記第１人工爪層構成物の層を硬化させて第１人工爪層を形成する第３の工程と、
前記第３の工程の後、前記第１人工爪層及び前記宝飾物を覆うように、光を透過する第２人工爪層を形成する第４の工程と、
を有する爪装飾物形成方法。
【請求項１５】
前記第１人工爪構成物が、光の照射によって硬化する性質を有しており、
前記第２の工程において前記宝飾物を載置する前に、前記地爪に塗布された前記第１人工爪構成物の層に前記光を照射して当該層を半硬化状態とする工程を有する、
請求項１４に記載の爪装飾物形成方法。
【発明の詳細な説明】
【技術分野】
【０００１】
本発明は、宝石等の宝飾物を用いて地爪（ネイル）を装飾する爪装飾物とその形成方法に関するものである。
【背景技術】
【０００２】
近年、地爪（ネイル）に様々な宝飾物を付けるネイルアートが普及している。
例えば、特許文献１に公開されたネイル技術では、０．００３３カラット以上０．０１カラット以下の質量を有する多面体にカッティング加工されたダイヤモンドを、皮膜形成剤を含む透明溶剤とともに地爪に塗布することにより爪に固定する。
そして、爪の装飾を落とす際には、除光液等のリムーバにより地爪から透明溶剤を除去し、地爪に固定されていたダイヤモンドを剥がして、再度、皮膜形成剤に含有させることにより、上記ダイヤモンドを繰り返し使用することを可能にしている。
【先行技術文献】
【特許文献】
【０００３】
【特許文献１】特開２００５−１０２９８０号公報
【発明の概要】
【発明が解決しようとする課題】
【０００４】
しかしながら、上述した従来のネイル技術では、略円錐形のダイヤモンドをそのまま地爪に置いて皮膜を硬化させるため、皮膜中のダイヤモンドの姿勢を定めるのが困難であり、不適切な姿勢で固定された場合にダイヤモンドの本来の輝きが得られないという問題がある。
同様な問題は、ダイヤモンド以外の宝石を地爪に固定する場合にも生じる。
【０００５】
本発明はかかる事情に鑑みてなされたものであり、その目的は、本来の輝きが失われないように宝飾物を地爪に固定できる爪装飾物とその形成方法を提供することにある。
【課題を解決するための手段】
【０００６】
本発明の第１の観点に係る爪装飾物は、地爪の表面に形成される第１人工爪層と、前記第１人工爪層に固着される宝飾物と、光を透過する材料により構成されており、前記第１人工爪層及び前記宝飾物を覆うように形成される第２人工爪層とを有する。
【０００７】
好適に、前記宝飾物は、その表面が前記第２人工爪層に接している少なくとも１つの宝石と、前記宝石を保持する石留め部とを有し、前記石留め部は、前記第１人工爪層の構成物を介して前記地爪の表面に対向する平らな底面部を有する。
【０００８】
好適に、前記石留め部は、前記第１人工爪層と接触する面において、前記第１人工爪層の構成物が嵌入する孔を有する。
好適に、前記孔は、前記石留め部の前記底面部に形成される。
【０００９】
好適に、前記石留め部の前記孔は、前記石留め部の表面に開いた開口部と、前記石留め部の表面より内側において、前記開口部に比べて幅が広くなっている空間部とを有し、前記開口部から嵌入する前記第１人工爪層の構成物が、前記空間部において前記開口部に比べて幅が広くなっている。
好適に、前記宝飾物の内側に向かうにつれて、前記空間部の幅が連続的に広くなっている。
【００１０】
好適に、前記石留め部は、前記宝石を載置するための凹部を有しており、前記孔が前記凹部とつながっている。
好適に、前記第１人工爪層が、光の照射によって硬化する材料により構成されており、硬化前に前記孔に流入した前記第１人工爪層の構成物が、前記宝石を介して透過する光により硬化する。
【００１１】
好適に、前記石留め部は、上面部に前記凹部が形成され、底面部に前記孔が形成された円柱形の宝石載置部と、前記宝石載置部の曲面から径方向に突出する複数の突部とを有する。
好適に、前記突部は、前記宝石載置部の上記上面部から上側に延びた先端部分において前記上面部に載置された前記宝石を係止する。
【００１２】
好適に、前記宝石が、円錐形状の多面体にカッティング加工されており、前記宝石の尖端が前記開口部に達している。
【００１３】
好適に、前記第１人工爪層及び前記第２人工爪層が、光によって硬化するジェル状の樹脂材料により構成されており、前記地爪の表面に対して垂直な方向における前記宝飾物の高さが１ｍｍ以上２ｍｍ以下である。
好適に、前記宝石の質量が０．０１カラット以上０．０６カラット以下である。
【００１４】
本発明の第２の観点に係る爪装飾物形成方法は、地爪の表面に、未硬化状態の第１人工爪構成物を層状に塗布する第１の工程と、前記第１の工程において塗布された前記第１人工爪構成物の上に宝飾物を載置する第２の工程と、前記第２の工程において前記宝飾物が載置された状態の前記第１人工爪層構成物の層を硬化させて第１人工爪層を形成する第３の工程と、前記第３の工程の後、前記第１人工爪層及び前記宝飾物を覆うように、光を透過する第２人工爪層を形成する第４の工程とを有する。
【００１５】
好適に、前記第１人工爪構成物が、光の照射によって硬化する性質を有しており、前記第２の工程において前記宝飾物を載置する前に、前記地爪に塗布された前記第１人工爪構成物の層に前記光を照射して当該層を半硬化状態とする工程を有する。
【発明の効果】
【００１６】
本発明によれば、本来の輝きが失われないように宝飾物を地爪に固定できる爪装飾物とその形成方法を提供することができる。
【図面の簡単な説明】
【００１７】
【図１】本実施形態に係る爪装飾物の断面構造を説明するための図である。
【図２】宝飾物の一例を示す斜視図である。
【図３】図２に示す宝飾物において、宝石が爪で固定される前の状態を示す図である。
【図４】図２に示す宝飾物の正面図を例示する図である。
【図５】図２に示す宝飾物の底面図を例示する図である。
【図６】図２に示す宝飾物の破線Ａ−Ａ’における断面を説明するための図である。
【図７】図６に示す宝飾物において、開口部から凹部へ第１人工爪層の構成物が流入している様子を説明するための図である。
【図８】宝飾物の一変形例を示す図である。
【図９】図８に示す宝飾物において、開口部から凹部へ第１人工爪層の構成物が流入している様子を説明するための図である。
【発明を実施するための形態】
【００１８】
本実施形態では、宝飾物が２層の人工爪層によって地爪（生爪）に固定される。地爪の表面に形成した第１人工爪層に宝飾物が固着され、その上側が別の透明な人工爪層で被覆される。
また、本実施形態では、宝石が地爪に直接接着されるのではなく、石留め部（石枠，シャトン）に保持した状態で接着される。石留め部の平らな底面が地爪に載置されるため、宝石が適切な姿勢で地爪の表面に固定される。
【００１９】
図１は、本実施形態に係る爪装飾物の断面構造を説明するための図である。
本実施形態に係る爪装飾物は、例えば図１に示すように、地爪（生爪）５１の表面に形成される第１人工爪層５３と、この第１人工爪層５３に固着される宝飾物１と、第１人工爪層５３及び宝飾物２を覆うように形成される第２人工爪層５５とを有する。
【００２０】
第１人工爪層５３及び第２人工爪層５５は、一般に使用されている種々の人工爪材料により形成可能である。人工爪材料としては、例えば、紫外光により硬化するジェル状の樹脂を含んだジェルネイルや、アクリルパウダーとアクリルリキッドを混ぜ合わせて重合反応により硬化させるアクリリックネイル（若しくはスカルプチャ）などを用いることが可能である。
【００２１】
ただし、第１人工爪層５３は、材料の硬化前に宝飾物１を載置する必要があることから、硬化前の状態で適度な粘性を持っていることが望ましく、その点を考慮すると、ジェル状の樹脂を用いたジェルネイルが好適である。
また、アクリリックネイルは、何度も塗り重ねて厚みを作る必要があるため、その塗り重ね作業の間に硬化が起きると宝飾物１の載置が困難になる。これに対し、ジェルネイルは、適度な粘性があるため比較的厚みを作りやすく、また紫外線を照射しない限り硬化が生じないので宝飾物１を載置する作業が容易である。したがって、この点においても、第１人工爪層５３にはジェルネイルが好適である。
【００２２】
また、ジェルネイルには、一般に「ハードジェル」と呼ばれる比較的強度があるタイプと、「ソフトジェル（若しくはソークオフジェル）」と呼ばれる比較的柔軟性を持ったタイプがある。ハードジェルは地爪から剥がすのが困難であり、器具を使って削り取る作業が必要となるのに対し、ソフトジェルはアセトン等の溶剤（リムーバ）により溶かすことで容易に地爪から剥がすことができる。従って、爪に対する負担を考慮すると、地爪５１の表面に直接形成される第１人工爪層５３には「ソフトジェル」タイプのジェルネイルが好適である。
【００２３】
一方、第２人工爪層５５は、宝飾物１を覆うように形成されることから、光を透過する透明性の高い材質であることが好ましい。例えば、第２人工爪層５５に透明性の高いハードジェルを用いれば、ソフトジェルを用いる場合に比べて外殻の硬度を高めて耐久性を向上できる。
【００２４】
宝飾物１は、宝石や貴金属などを含んで構成された装飾物である。宝飾物１の詳しい構造について、図２〜図６を参照して説明する。
図２は、宝飾物１の一例を示す斜視図である。
図３は、図２に示す宝飾物において、宝石（１０）が爪（１２ｂ１〜１２ｂ４）で固定される前の状態を示す図である。
図４は、図２に示す宝飾物の正面図を例示する図である。
図５は、図２に示す宝飾物の底面図を例示する図である。
図６は、図２に示す宝飾物の破線Ａ−Ａ’における断面を説明するための図である。
【００２５】
本実施形態に係る宝飾物１は、例えば図２に示すように、ダイヤモンド１０と、プラチナ等の貴金属で形成された石留め部（シャトン）１２を有する。石留め部１２は、爪上においてダイヤモンド１０を安定に保持するための台座であり、円柱型の宝石載置部（石座）１２ａと、宝石載置部１２ａに載置されたダイヤモンド１０を固定するための爪１２ｂ１，１２ｂ２，１２ｂ３，１２ｂ４を有する。
なお、ダイヤモンド１０は、本発明における宝石の一例である。
爪１２ｂ１〜１２ｂ４は、本発明における突部の一例である。
【００２６】
ダイヤモンド１０は、入射光を美しく反射できるように多面体にカッティング加工されており、例えば、５８面体のラウンド・ブリリアント・カットが施される。ダイヤモンド１０のカッティング加工は、上記の他、例えば１７，２５，３３，５０，５７または６５面体等になるように行ってもよい。
【００２７】
爪１２ｂ１〜１２ｂ４は、宝石載置部１２ａの軸と平行な方向へ伸びた円柱の形状に形成されており、宝石載置部１２ａの曲面から径方向へ突出している。４つの爪１２ｂ１〜１２ｂ４が、宝石載置部１２ａの曲面において周方向へほぼ等間隔に配設されている。
【００２８】
また、爪１２ｂ１〜１２ｂ４は、その先端部分が宝石載置部１２ａの上面よりも上側に突き出している。この突き出した先端部分によってダイヤモンド１０が固定される。
例えば図３に示すように、ダイヤモンド１０が宝石載置部１２ａに固定される前の状態において、爪１２ｂ１〜１２ｂ４は先端部まで直線的に延びている。ダイヤモンド１０を宝石載置部１２ａの上に置いたあと、爪１２ｂ１〜１２ｂ４の先端部をダイヤモンド１０に向かって倒すように曲げることで、ダイヤモンド１０の側面の４か所が爪１２ｂ１〜１２ｂ４により係止され、これによりダイヤモンド１０が宝石載置部１２ａに固定される。
【００２９】
宝石載置部１２ａの上面部には、図６に示すように、ダイヤモンド１０を載置するための凹部１６が形成されている。凹部１６には、円錐形状に加工されたダイヤモンド１０の尖った部分（パビリオン）が収容される。ダイヤモンド１０の円錐斜面に宝石載置部１２ａの上面部の縁が当接する。
【００３０】
宝石載置部１２ａの底面部は、図５，図６に示すようにほぼ平らな面に形成されている。この平らな底面部が、第１人工爪層５３を介して地爪５１の表面に対向するように固着される。
【００３１】
宝石載置部１２ａの底面部には、図５，図６に示すように、開口部１４が形成される。開口部１４は、例えば図５に示すように、宝石載置部１２ａの底面部のほぼ中央において円形に開口している。開口部１４を通って宝石載置部１２ａの内側に入った部分には、開口部１４に比べて幅が広くなっている空間部が形成される。この空間部が、凹部１６とつながっている。
【００３２】
図７は、開口部１４から凹部１６へ第１人工爪層５３の構成物が流入している様子を説明するための図である。
未硬化の状態の第１人工爪層５３に宝飾物１の底面部を置くと、開口部１４から凹部１６へ図７に示すように第１人工爪層５３の構成物（ジェルネイル等）が流入する。この状態で紫外線光の照射等によりに第１人工爪層５３を硬化させると、凹部１６へ流入した第１人工爪層５３の構成物も硬化する。すなわち、開口部１４から石留め部１２の内側に嵌入した第１人工爪層５３の構成物が、開口部１４に比べて幅が広くなった状態で硬化する。
これにより、開口部１４より内側に嵌入した第１人工爪層５３の構成物が開口部１４から抜けない状態になるため、石留め部１２と第１人工爪層５３とが強固に固着される。
【００３３】
なお、図６の例において、円錐状にカッティング加工されたダイヤモンド１０の尖端ＴＰが開口部１４に達している。このような構造にすることで、尖端部ＴＰが宝石載置部１２ａの底面部の平面付近まで下がり、宝石載置部１２ａにおける宝石１０の位置が全体的に下がるため、宝飾物１の全体的な高さを低く抑えることができる。
宝飾物１があまり高くなると、地爪５１から突き出た宝飾物１が衣類等に引っ掛かるなど日常生活の不便を生じ易くなるが、本実施形態では、上記のように宝飾物１の高さが抑えられるため、こうした不便を軽減できる。
また、上記のような構造とすることで、宝飾物１の高さ方向を占めるダイヤモンド１０の割合が増えることから、宝飾物１の全体的な高さを低く抑えつつ、ダイヤモンド１０のサイズを大きくすることができる。
【００３４】
宝飾物１の全体的な高さは、人工爪層（５３，５５）の厚さによっても規定される。一般に紫外光線で硬化させるタイプの人工爪材料（ジェルネイル等）では、厚さが薄すぎると硬度が下がるため耐久性が乏しくなる。逆に、厚さが厚すぎると下層の紫外光線が届きにくい部分において未硬化の材料が残ってしまい、乖離を生じやすくなる。このような点を考慮すると、人工爪層の厚さは１．０〜２．０ｍｍの範囲が望ましく、宝飾物１の高さもこの範囲内であることが望ましい。
【００３５】
下記に、宝飾物１の寸法（幅Ｗ，高さＨ）の例を示す。
第１の寸法：  Ｗ＝２．００ｍｍ、Ｈ＝１．５０ｍｍ
第２の寸法：  Ｗ＝１．７０ｍｍ、Ｈ＝１．３０ｍｍ
第３の寸法：  Ｗ＝１．５０ｍｍ、Ｈ＝１．３０ｍｍ
【００３６】
上記の各寸法における宝飾物１には、例えば以下の質量のダイヤモンド１０を固定することができる。
第１の寸法：  ０．０３０カラット
第２の寸法：  ０．０２０カラット
第３の寸法：  ０．０１４カラット
【００３７】
なお、本実施形態におけるダイヤモンド１０の質量としては、例えば、０．０１０カラット以上０．０６０カラット以下であることが望ましい。
【００３８】
まず、ダイヤモンド１０の質量が０．０１０カラットに満たない場合、図６に示すように尖端ＴＰが開口部１４に達する構造では、宝飾物１の全体の高さが上述した１．０〜２．０ｍｍの範囲を下回ってしまう。この場合、人工爪層（５３，５５）の厚みを上記の範囲に維持すると、ダイヤモンド１０の上面が厚い人工爪層に覆われて光を受けにくくなり、宝石として十分な輝きが得られなくなる。これを避けるため、宝飾物１の高さに合わせて人工爪層の厚みを薄くしてしまうと、上述したように人工爪層の耐久性が低下するという不利益が生じる。
【００３９】
そこで、図６に示すような構造とせずに、例えば尖端ＴＰをもっと上側に位置させるように凹部１６を深くして、宝飾物１の高さを上述した１．０〜２．０ｍｍの範囲に収めることも考えられる。しかしながら、ダイヤモンド１０の直径が非常に小さくなっているところで更に凹部１６を深くしてしまうと、開口部１４から凹部１６へ流入する第１人工爪層５３の材料（ジェルネイル）に十分な紫外光線が届かなくなる。この場合、材料が未硬化の状態となる可能性があり、そうすると、第１人工爪層５３と石留め部１２との接着力が低下して、石留め部１２が地爪５１から剥がれやすくなるという不利益が生じる。
【００４０】
また、ダイヤモンド１０が０．０１０カラットに満たない質量であってあまりにも小さすぎると、ダイヤモンド１０を多面体にカッティング加工することが難しくなる。ダイヤモンド１０が多面体にカッティング加工されないと、入射光を適切に反射できなくなり、ダイヤモンド本来の輝きが得られなくなるため、宝石としての価値が下がってしまう。
従って、ダイヤモンド１０の質量は、０．０１０カラット以上であることが好ましい。
【００４１】
他方、ダイヤモンド１０の質量が０．０６０カラットを超えると、図６に示すように尖端ＴＰが開口部１４に達する構造にしても、宝飾物１の全体の高さが上述した１．０〜２．０ｍｍの範囲を上回ってしまう。この場合、人工爪層（５３，５５）の厚みを上記の範囲に維持すると、宝飾物１の上側を覆う第２人工爪層５５の厚みが薄くなり過ぎてしまい、第２人工爪層５５において宝飾物１を地爪５１に留める力が弱くなって、宝飾物１が地爪５１から脱落し易くなるという不利益がある。これを避けるため、宝飾物１の高さに合わせて人工爪層の厚みを厚くしてしまうと、上述したように人工爪層の乖離が生じやすくなるという不利益が生じる。
また、ダイヤモンド１０が大きくなり過ぎると、宝飾物１の突出量が増して衣服等に引っ掛かり易くなるなどの不利益が生じる。
更に、ダイヤモンド１０が重くなり過ぎると、地爪５１から脱落し易くなるという不利益も生じる。
従って、ダイヤモンド１０の質量は、０．０６０カラット以下であることが好ましい。
【００４２】
ダイヤモンド１０の質量を０．０１０カラット以上０．０６０カラット以下の範囲にすることで、人工爪層（５３，５５）の耐久性及び宝飾物１と地爪５１との接着性を適切に維持しつつ、ダイヤモンド１０の良好な輝きを得ることができる。
【００４３】
ここで、上述した構成を有する爪装飾物の形成方法の一例を説明する。
【００４４】
（前処理）
まず前処理として、地爪５１を消毒・洗浄し、必要に応じて地爪５１の表面を軽くサンディング（研磨）する。
【００４５】
（第１人工爪層５３の形成）
次いで、刷毛等を用いて、第１人工爪層５３を形成するソークオフジェル（ソフトジェル）を地爪５１の表面に層状に塗る。
【００４６】
ソークオフジェルを地爪５１の表面に塗った後、爪上の所望の位置に宝飾物１を載置する。そして、宝飾物１を載置した状態の爪にＵＶランプやＬＥＤ等の紫外光線を照射し、ソークオフジェルを硬化させる。
【００４７】
なお、宝飾物１を載置し易くするため、載置の前に紫外光線を軽く照射してソークオフジェルを半硬化状態としてもよい。
また、第１人工爪層５３の厚みを調整するため、ソークオフジェルを重ね塗りしてもよい。すなわち、地爪５１の表面にソークオフジェルを塗ったあと、宝飾物１を載置せずに紫外光線を軽く照射させてソークオフジェルの表面を半硬化状態とし、その半硬化状態となったソークオフジェルの上から更に未硬化のソークオフジェルを塗って紫外線を軽く照射するという処理を繰り返してもよい。
【００４８】
（第２人工爪層５５の形成）
宝飾物１を載置して第１人工爪層５３を硬化させた後、刷毛等を用いて、第２人工爪層５５を形成するハードジェルを塗る。第１人工爪層５３と宝飾物１を覆うようにハードジェルを塗った後、紫外光線を照射してハードジェルを硬化させる。この場合も、第１人工爪層５３の厚みを調整するため、ハードジェルの重ね塗りを行ってもよい。
【００４９】
以上説明したように、本実施形態では、ダイヤモンド１０をそのまま地爪に固定するのではなく、ダイヤモンド１０が保持された石留め部１２の平らな底面部を地爪５１に載せて固定する。そのため、ダイヤモンド１０を地爪５１の表面に対して適切な姿勢で固定できるため、ダイヤモンド１０を良好に輝かせることが可能となり、装飾性を高めることができる。
また、貴金属性の石留め部１２でダイヤモンド１０を保持することにより、ダイヤモンド１０をそのまま爪上に固定する場合に比べて入射光が良好に反射するため、爪上におけるダイヤモンド１０の輝きをより一層際立たせることができる。
【００５０】
また、本実施形態では、石留め部１２の開口部１４からその内部へ第１人工爪層５３の構成物を嵌入させているため、石留め部１２と第１人工爪層５３との接着を強化することできる。特に、石留め部１２の内部に嵌入した第１人工爪層５３の構成物の幅が開口部１４より広くなっており、嵌入した構成物が開口部１４から抜けないようになっているため、第１人工爪層５３からの石留め部１２の脱落を有効に防止できる。
【００５１】
また、本実施形態では、開口部１４を通って石留め部１２の内側に入ったところにある空間部が、ダイヤモンド１０を載置するための凹部１６とつながっており、硬化前に開口部１４から内部に流入した第１人工爪層５３の構成物が、ダイヤモンド１０を透過する紫外光線によって硬化する構造となっている。そのため、開口部１４を通って石留め部１２の内側に嵌入している第１人工爪層５３の構成物を確実に硬化させることができる。
【００５２】
また、本実施形態では、円柱形の宝石載置部１２ａの曲面から径方向に突出している複数の爪（１２ｂ１〜１２ｂ４）が、人工爪層（５３，５５）の中に埋め込まれた宝石載置部１２ａの回転を規制することから、これが自由に回転してしまう場合に比べて、宝石載置部１２ａと人工爪層（５３，５５）との接着性を安定に維持できる。
【００５３】
また、地爪５１に接する第１人工爪層５３として、リムーバにより地爪５１から剥がしやすいソークオフジェル等の材料を用いることで、宝飾物１を何度も繰り返し使用することができる。
すなわち、第１人工爪層５３を介して地爪５１に固着された宝飾物１を、リムーバによって第１人工爪層５３を地爪５１から除去することが可能であり、その際、第１人工爪層５２とともに宝飾物１も剥がして、保存容器等に戻すなどして再度利用することができる。
【００５４】
また、本実施形態では、第１人工爪層５３とは別に透明度が高い第２人工爪層５５で宝飾物１を覆うため、全て第１人工爪層５３で覆う場合に比べて、ダイヤモンド１０で反射した光が外に出る量を増やすことができ、ダイヤモンド１０の輝きをより一層際立たせることができる。
【００５５】
次に、本実施形態に係る爪装飾物における宝飾物１の変形例について、図８及び図９を参照して説明する。
図８は、宝飾物１の一変形例を示す図であり、破線Ａ−Ａ’における断面を表している。図９は、図８に示す宝飾物１において、開口部１４から凹部１６Ａへ第１人工爪層５３の構成物が流入している様子を説明するための図である。
【００５６】
図８に示す宝飾物１は、図６に示す宝飾物１と比較して、開口部１４から内側の空間部（凹部）の形状が異なっている。
すなわち図６に示す宝飾物１では、開口部１４より内側の特定の位置において空間部（凹部１６）の幅が非連続的に広くなっているのに対して、図８に示す宝飾物１では、開口部１４より内側に向かうにつれて空間部（凹部１６Ａ）の幅がほぼ連続的に広くなっている。
【００５７】
図６に示すように空間部（凹部１６）の幅が非連続的に広くなっていると、第１人工爪層５３を溶剤（リムーバ）で除去する場合に、その非連続的な部分において第１人工爪層５３の構成物が残留し易くなる。これに対して、図６に示すように空間部（凹部１６）の幅が連続的に広くなっていると、空間部（凹部１６）から開口部１４へ第１人工爪層５３の構成物が流れ出し易くなり、上述したような残留物を低減できる。これにより、宝飾物１を何度も繰り返し使用できるようになる。
【００５８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５９】
上述した実施形態では開口部１４が石留め部１２の底面に形成されているが、本発明はこれに限定されない。例えば開口部を石留め部の側面に形成してもよい。
【００６０】
上述した実施形態では、１つのダイヤモンド１０が固定された１つの石留め部１２を地爪５１に固定した場合を例示したが、複数のダイヤモンドを１つの石留め部に固定したものを地爪に固定してもよいし、複数の石留め部を地爪に固定してもよい。
【００６１】
上述した実施形態では、本発明の宝石の一例としてダイヤモンドを挙げているが、その他にも、例えば、ガーネット，ルビー，サファイア，トルマリン，エメラルドなど、他の種々の宝石または貴石を用いてもよい。
本発明において用いる宝石としては、多面体にカット可能であり、各面の光の反射によって輝きを増すように加工されたものが好ましい。
【００６２】
また、本発明のダイヤモンド１０の質量、並び宝飾物１のサイズおよび形状は、上述したものには限定されず、適宜変更可能である。
【００６３】
また、上述した実施形態では、宝飾物１を２層の人工爪層（５３，５５）で地爪に固着させる例を示したが、１層あるいは３層以上の人工爪層によって地爪に固着させてもよい。
【００６４】
第１人工爪層は、少なくとも、地爪と宝飾物とが接着し得るように両者の間に介在して形成されていればよいので、地爪の表面の一部分にのみ形成してもよい。
【００６５】
各人工爪層は着色されていてもよいが、宝飾物の宝石と接する第２人工爪層は高い透明性を持っていることがより好ましい。
【産業上の利用可能性】
【００６６】
本発明は、地爪に宝飾物を固着させる爪装飾物とその形成方法に広く適用可能である。
【符号の説明】
【００６７】
１…宝飾物、１０…ダイヤモンド、１２…石留め部、１２ａ…宝石載置部、１２ｂ１，１２ｂ２，１２ｂ３，１２ｂ４…爪、１４…開口部、１６…凹部、５１…地爪、５３…第１人工爪層、５５…第２人工爪層
【図１】
2010214088.tif 000003
【図２】
2010214088.tif 000004
【図３】
2010214088.tif 000005
【図４】
2010214088.tif 000006
【図５】
2010214088.tif 000007
【図６】
2010214088.tif 000008
【図７】
2010214088.tif 000009
【図８】
2010214088.tif 000010
【図９】
2010214088.tif 000011